(57)【要約】  一実施形態に係る通信制御方法は、ランダムアクセスプロシージャ中にユーザデータの送受信を行うアーリーデータ伝送を制御するための通信制御方法である。前記通信制御方法は、ＲＲＣアイドルモードにある無線端末が、前記ＲＲＣアイドルモードにおける前記無線端末の動作に関連するタイマを動作させるステップＡと、前記無線端末が、前記ランダムアクセスプロシージャの開始後、前記ランダムアクセスプロシージャを正常に終了させるためのＲＲＣメッセージを基地局から受信するステップＢと、前記ＲＲＣメッセージが前記アーリーデータ伝送用のメッセージである場合、前記無線端末が、前記ＲＲＣメッセージの受信に応じて、前記タイマの動作を継続させるステップＣと、を備える。
2019194296.tif 000002
【特許請求の範囲】
【請求項１】
ランダムアクセスプロシージャ中にユーザデータの送受信を行うアーリーデータ伝送を制御するための通信制御方法であって、  ＲＲＣアイドルモードにある無線端末が、前記ＲＲＣアイドルモードにおける前記無線端末の動作に関連するタイマを動作させるステップＡと、  前記無線端末が、前記ランダムアクセスプロシージャの開始後、前記ランダムアクセスプロシージャを正常に終了させるためのＲＲＣメッセージを基地局から受信するステップＢと、  前記ＲＲＣメッセージが前記アーリーデータ伝送用のメッセージである場合、前記無線端末が、前記ＲＲＣメッセージの受信に応じて、前記タイマの動作を継続させるステップＣと、を備える、  通信制御方法。
【請求項２】
前記タイマは、前記ＲＲＣメッセージが前記アーリーデータ伝送用のメッセージではない場合には当該ＲＲＣメッセージの受信に応じて停止されるべき複数のタイマのうちの一部のタイマである、  請求項１に記載の通信制御方法。
【請求項３】
ランダムアクセスプロシージャ中にユーザデータの送受信を行うアーリーデータ伝送を制御するための通信制御方法であって、  ＲＲＣアイドルモードにある無線端末が前記アーリーデータ伝送を行うことに応じて、前記無線端末が、現在のサービングセルとは異なるセルを新たなサービングセルとして再選択するためのセル再選択動作を停止するステップＡと、  前記無線端末が、前記アーリーデータ伝送の正常終了に応じて、前記セル再選択動作を再開するステップＢと、を備える、  通信制御方法。
【請求項４】
前記ステップＡにおいて、前記無線端末は、前記現在のサービングセルへのランダムアクセスプリアンブルの送信時、前記現在のサービングセルからのランダムアクセス応答の受信時、又は前記現在のサービングセルへのＲＲＣメッセージの送信時に、前記セル再選択動作を停止する、  請求項３に記載の通信制御方法。
【請求項５】
前記ステップＢにおいて、前記無線端末は、前記アーリーデータ伝送を正常に終了させるためのＲＲＣメッセージを前記現在のサービングセルから受信した際に、前記セル再選択動作を再開する、  請求項３に記載の通信制御方法。
【請求項６】
前記無線端末が、前記アーリーデータ伝送のために前記セル再選択動作を停止中において、前記現在のサービングセルが所定の品質条件を満たしているか否かの確認を継続するステップと、  前記無線端末が、前記現在のサービングセルが前記所定の品質条件を満たしていないことが確認された場合に、前記セル再選択動作を再開するステップと、をさらに備える、  請求項３に記載の通信制御方法。
【請求項７】
ランダムアクセスプロシージャ中にユーザデータの送受信を行うアーリーデータ伝送を制御するための通信制御方法であって、  前記ランダムアクセスプロシージャにおけるＭｓｇ４を構成するＲＲＣメッセージ及びＭＡＣ制御要素を互いに異なるタイミングで基地局から受信する能力を無線端末が有することに応じて、前記無線端末が、前記アーリーデータ伝送を実行可能であると判定するステップＡと、  前記能力を前記無線端末が有しないことに応じて、前記無線端末が、前記アーリーデータ伝送を実行不能であると判定するステップＢと、を備える、  通信制御方法。
【請求項８】
前記無線端末は、ＮＢ−ＩｏＴカテゴリに属する無線端末である、  請求項７に記載の通信制御方法。
【発明の詳細な説明】
【技術分野】
【０００１】  本発明は、移動通信システムにおける通信制御方法に関する。
【背景技術】
【０００２】  近年、人が介在することなく通信を行うＭＴＣ（Ｍａｃｈｉｎｅ  Ｔｙｐｅ  Ｃｏｍｍｕｎｉｃａｔｉｏｎ）及びＩｏＴ（Ｉｎｔｅｒｎｅｔ  ｏｆ  Ｔｈｉｎｇｓ）サービスを対象とした無線端末が注目されている。このような無線端末は、低コスト化、カバレッジ拡張、及び低消費電力化を実現することが求められる。このため、３ＧＰＰ（３ｒｄ  Ｇｅｎｅｒａｔｉｏｎ  Ｐａｒｔｎｅｒｓｈｉｐ  Ｐｒｏｊｅｃｔ）において、システム送受信帯域の一部のみに送受信帯域幅を制限した新たな無線端末のカテゴリが仕様化されている。【０００３】  ＭＴＣやＩｏＴを対象とした無線端末は、一般的な無線端末に比べて、送受信すべきデータの量が少なく、データの送受信を行う頻度も少ない。よって、ＭＴＣやＩｏＴを対象とした無線端末が効率的に通信を行うために、ランダムアクセスプロシージャ中に所定メッセージを利用してユーザデータを送信するアーリーデータ伝送（ｅａｒｌｙ  ｄａｔａ  ｔｒａｎｓｍｉｓｓｉｏｎ）が検討されている。【０００４】  しかしながら、現状の移動通信システムはランダムアクセスプロシージャ中にユーザデータを送信することを想定しておらず、アーリーデータ伝送を実現可能とする仕組みが存在しない。
【発明の概要】
【０００５】  一実施形態に係る通信制御方法は、ランダムアクセスプロシージャ中にユーザデータの送受信を行うアーリーデータ伝送を制御するための通信制御方法である。前記通信制御方法は、ＲＲＣアイドルモードにある無線端末が前記アーリーデータ伝送を行うことに応じて、前記無線端末が、現在のサービングセルとは異なるセルを新たなサービングセルとして再選択するためのセル再選択動作を停止するステップＡと、前記無線端末が、前記アーリーデータ伝送の正常終了に応じて、前記セル再選択動作を再開するステップＢと、を備える。
【０００６】  一実施形態に係る通信制御方法は、ランダムアクセスプロシージャ中にユーザデータの送受信を行うアーリーデータ伝送を制御するための通信制御方法である。前記通信制御方法は、ＲＲＣアイドルモードにある無線端末が、前記ＲＲＣアイドルモードにおける前記無線端末の動作に関連するタイマを動作させるステップＡと、前記無線端末が、前記ランダムアクセスプロシージャの開始後、前記ランダムアクセスプロシージャを正常に終了させるためのＲＲＣメッセージを基地局から受信するステップＢと、前記ＲＲＣメッセージが前記アーリーデータ伝送用のメッセージである場合、前記無線端末が、前記ＲＲＣメッセージの受信に応じて、前記タイマの動作を継続させるステップＣと、を備える。
【０００７】  一実施形態に係る通信制御方法は、ランダムアクセスプロシージャ中にユーザデータの送受信を行うアーリーデータ伝送を制御するための通信制御方法である。前記通信制御方法は、前記ランダムアクセスプロシージャにおけるＭｓｇ４を構成するＲＲＣメッセージ及びＭＡＣ制御要素を互いに異なるタイミングで基地局から受信する能力を無線端末が有することに応じて、前記無線端末が、前記アーリーデータ伝送を実行可能であると判定するステップＡと、前記能力を前記無線端末が有しないことに応じて、前記無線端末が、前記アーリーデータ伝送を実行不能であると判定するステップＢと、を備える。
【図面の簡単な説明】
【０００８】
【図１】実施形態に係るＬＴＥシステム（移動通信システム）の構成を示す図である。
【図２】実施形態に係るＵＥ（無線端末）の構成を示す図である。
【図３】実施形態に係るｅＮＢ（基地局）の構成を示す図である。
【図４】実施形態に係るＬＴＥシステムにおける無線インターフェイスのプロトコルスタックを示す図である。
【図５】実施形態に係るＬＴＥシステムの無線フレームの構成を示す図である。
【図６】ｅＭＴＣ  ＵＥ及びＮＢ−ＩｏＴ  ＵＥが取り扱う周波数チャネルの一例を示す図である。
【図７】ｅＭＴＣ  ＵＥ及びＮＢ−ＩｏＴ  ＵＥ向けのランダムアクセスプロシージャの一例を示す図である。
【図８】実施形態に係るアーリーデータ伝送に関するセル再選択動作の一例を示す図である。
【図９】実施形態に係るＲＲＣアイドルモード用のタイマに関する動作の一例を示す図である。
【図１０】実施形態に係るＮＢ−ＩｏＴ  ＵＥのアーリーコンテンションリゾリューション能力に関する動作の一例を示す図である。
【発明を実施するための形態】
【０００９】  （移動通信システム）  本実施形態に係る移動通信システムの構成について説明する。図１は、本実施形態に係る移動通信システムであるＬＴＥ（Ｌｏｎｇ  Ｔｅｒｍ  Ｅｖｏｌｕｔｉｏｎ）システムの構成を示す図である。ＬＴＥシステムは、３ＧＰＰ規格に基づく移動通信システムである。
【００１０】  ＬＴＥシステムは、無線端末（ＵＥ：Ｕｓｅｒ  Ｅｑｕｉｐｍｅｎｔ）１００、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びコアネットワーク（ＥＰＣ：Ｅｖｏｌｖｅｄ  Ｐａｃｋｅｔ  Ｃｏｒｅ）２０を備える。
【００１１】  ＵＥ１００は、移動型の通信装置である。ＵＥ１００は、自身が在圏するセル（サービングセル）を管理するｅＮＢ２００との無線通信を行う。
【００１２】  Ｅ−ＵＴＲＡＮ１０は、基地局（ｅＮＢ：ｅｖｏｌｖｅｄ  Ｎｏｄｅ−Ｂ）２００を含む。ｅＮＢ２００は、Ｘ２インターフェイスを介して相互に接続される。ｅＮＢ２００は、１又は複数のセルを管理する。ｅＮＢ２００は、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。１つのセルは１つのキャリア周波数に属する。
【００１３】  ＥＰＣ２０は、モビリティ管理エンティティ（ＭＭＥ）及びサービングゲートウェイ（Ｓ−ＧＷ）３００を含む。ＭＭＥは、ＵＥ１００に対する各種モビリティ制御等を行う。ＭＭＥは、ＮＡＳ（Ｎｏｎ−Ａｃｃｅｓｓ  Ｓｔｒａｔｕｍ）シグナリングを用いてＵＥ１００と通信することにより、ＵＥ１００が在圏するトラッキングエリア（ＴＡ）の情報を管理する。トラッキングエリアは、複数のセルからなるエリアである。Ｓ−ＧＷは、データの転送制御を行う。ＭＭＥ及びＳ−ＧＷは、Ｓ１インターフェイスを介してｅＮＢ２００と接続される。
【００１４】  図２は、ＵＥ１００（無線端末）の構成を示す図である。ＵＥ１００は、受信部１１０、送信部１２０、及び制御部１３０を備える。
【００１５】  受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００１６】  送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００１７】  制御部１３０は、ＵＥ１００における各種の制御を行う。制御部１３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００１８】  図３は、ｅＮＢ２００（基地局）の構成を示す図である。ｅＮＢ２００は、送信部２１０、受信部２２０、制御部２３０、及びバックホール通信部２４０を備える。
【００１９】  送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２０】  受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２１】  制御部２３０は、ｅＮＢ２００における各種の制御を行う。制御部２３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２２】  バックホール通信部２４０は、Ｘ２インターフェイスを介して隣接ｅＮＢと接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００２３】  図４は、ＬＴＥシステムにおける無線インターフェイスのプロトコルスタックの構成を示す図である。図４に示すように、無線インターフェイスプロトコルは、ＯＳＩ参照モデルの第１レイヤ乃至第３レイヤに区分されている。第１レイヤは物理（ＰＨＹ）レイヤである。第２レイヤは、ＭＡＣ（Ｍｅｄｉｕｍ  Ａｃｃｅｓｓ  Ｃｏｎｔｒｏｌ）レイヤ、ＲＬＣ（Ｒａｄｉｏ  Ｌｉｎｋ  Ｃｏｎｔｒｏｌ）レイヤ、及びＰＤＣＰ（Ｐａｃｋｅｔ  Ｄａｔａ  Ｃｏｎｖｅｒｇｅｎｃｅ  Ｐｒｏｔｏｃｏｌ）レイヤを含む。第３レイヤは、ＲＲＣ（Ｒａｄｉｏ  Ｒｅｓｏｕｒｃｅ  Ｃｏｎｔｒｏｌ）レイヤを含む。ＰＨＹレイヤ、ＭＡＣレイヤ、ＲＬＣレイヤ、ＰＤＣＰレイヤ、及びＲＲＣレイヤは、ＡＳ（Ａｃｃｅｓｓ  Ｓｔｒａｔｕｍ）レイヤを構成する。
【００２４】  ＰＨＹレイヤは、符号化・復号、変調・復調、アンテナマッピング・デマッピング、及びリソースマッピング・デマッピングを行う。ＵＥ１００のＰＨＹレイヤとｅＮＢ２００のＰＨＹレイヤとの間では、物理チャネルを介してデータ及び制御情報が伝送される。
【００２５】  ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｅＮＢ２００のＭＡＣレイヤとの間では、トランスポートチャネルを介してデータ及び制御情報が伝送される。ｅＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２６】  ＲＬＣレイヤは、ＭＡＣレイヤ及びＰＨＹレイヤの機能を利用してデータを受信側のＲＬＣレイヤに伝送する。ＵＥ１００のＲＬＣレイヤとｅＮＢ２００のＲＬＣレイヤとの間では、論理チャネルを介してデータ及び制御情報が伝送される。
【００２７】  ＰＤＣＰレイヤは、ヘッダ圧縮・伸張、及び暗号化・復号化を行う。
【００２８】  ＲＲＣレイヤは、制御情報を取り扱う制御プレーンでのみ定義される。ＵＥ１００のＲＲＣレイヤとｅＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。ＵＥ１００のＲＲＣとｅＮＢ２００のＲＲＣとの間に接続（ＲＲＣ接続）がない場合、ＵＥ１００はＲＲＣアイドルモードである。
【００２９】  ＲＲＣレイヤの上位に位置するＮＡＳレイヤは、セッション管理及びモビリティ管理等を行う。ＵＥ１００のＮＡＳレイヤとＭＭＥ３００ＣのＮＡＳレイヤとの間では、ＮＡＳシグナリングが伝送される。ＵＥ１００は、無線インターフェイスのプロトコル以外にアプリケーションレイヤ等の機能を有する。
【００３０】  図５は、ＬＴＥシステムにおいて用いられる無線フレームの構成を示す図である。無線フレームは、時間軸上で１０個のサブフレームで構成される。各サブフレームは、時間軸上で２個のスロットで構成される。各サブフレームの長さは１ｍｓである。各スロットの長さは０．５ｍｓである。各サブフレームは、周波数軸上で複数個のリソースブロック（ＲＢ）を含む。各サブフレームは、時間軸上で複数個のシンボルを含む。各リソースブロックは、周波数軸上で複数個のサブキャリアを含む。具体的には、１２個のサブキャリア及び１つのスロットにより１つのＲＢが構成される。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定でき、時間リソースはサブフレーム（又はスロット）により特定できる。
【００３１】  下りリンクにおいて、各サブフレームの先頭数シンボルの区間は、主に下りリンク制御情報を伝送するための物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）として用いられる領域である。各サブフレームの残りの部分は、主に下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として用いることができる領域である。
【００３２】  上りリンクにおいて、各サブフレームにおける周波数方向の両端部は、主に上りリンク制御情報を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として用いられる領域である。各サブフレームにおける残りの部分は、主に上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として用いることができる領域である。
【００３３】  （ｅＭＴＣ及びＮＢ−ＩｏＴの概要）  ｅＭＴＣ及びＮＢ−ＩｏＴの概要について説明する。本実施形態において、ＭＴＣ及びＩｏＴサービスを対象とした新たなカテゴリのＵＥ１００が存在するシナリオを想定する。新たなカテゴリのＵＥ１００は、システム送受信帯域（ＬＴＥ送受信帯域幅）の一部のみに送受信帯域幅が制限されるＵＥ１００である。新たなＵＥカテゴリは、例えば、カテゴリＭ１及びカテゴリＮＢ（Ｎａｒｒｏｗ  Ｂａｎｄ）−ＩｏＴと称される。カテゴリＭ１は、ｅＭＴＣ（ｅｎｈａｎｃｅｄ  Ｍａｃｈｉｎｅ  Ｔｙｐｅ  Ｃｏｍｍｕｎｉｃａｔｉｏｎｓ）ＵＥが属するカテゴリである。カテゴリＮＢ−ＩｏＴ（カテゴリＮＢ１）は、ＮＢ−ＩｏＴ  ＵＥが属するカテゴリである。カテゴリＭ１は、ＵＥ１００（ｅＭＴＣ  ＵＥ）の送受信帯域幅を例えば１．０８ＭＨｚ（すなわち、６リソースブロックの帯域幅）に制限する。カテゴリＮＢ−ＩｏＴ（カテゴリＮＢ１）は、ＵＥ１００（ＮＢ−ＩｏＴ  ＵＥ）の送受信帯域幅を１８０ｋＨｚ（すなわち、１リソースブロックの帯域幅）にさらに制限する。このような狭帯域化により、ｅＭＴＣ  ＵＥ及びＮＢ−ＩｏＴ  ＵＥに要求される低コスト化及び低消費電力化が実現可能となる。
【００３４】  図６は、ｅＭＴＣ  ＵＥ及びＮＢ−ＩｏＴ  ＵＥが取り扱う周波数チャネルを示す図である。図６に示すように、ＬＴＥシステムのシステム周波数帯域の周波数帯域幅は１０ＭＨｚであり得る。システム送受信帯域の帯域幅は、例えば、５０リソースブロック＝９ＭＨｚである。ｅＭＴＣ  ＵＥが対応可能な周波数チャネルの帯域幅は、６リソースブロック＝１．０８ＭＨｚ以内である。ｅＭＴＣ  ＵＥが対応可能な６リソースブロック以内の周波数チャネルは、「狭帯域（ＮＢ：Ｎａｒｒｏｗ  Ｂａｎｄ）」と称される。ＮＢ−ＩｏＴ  ＵＥが対応可能な周波数チャネルの帯域幅は、１リソースブロック＝１８０ｋＨｚである。ＮＢ−ＩｏＴ  ＵＥが対応可能な１リソースブロックの周波数チャネルは、「キャリア（ｃａｒｒｉｅｒ）」と称される。
【００３５】  ｅＭＴＣ  ＵＥは、ＬＴＥ送受信帯域幅内で運用される。ＮＢ−ＩｏＴ  ＵＥは、ＬＴＥ送受信帯域幅内で運用される形態、ＬＴＥ送受信帯域幅外のガードバンドで運用される形態、及びＮＢ−ＩｏＴ専用の周波数帯域内で運用される形態をサポートする。
【００３６】  ｅＭＴＣ  ＵＥ及びＮＢ−ＩｏＴ  ＵＥは、カバレッジ拡張を実現するために、繰り返し送信等を用いた強化カバレッジ（ＥＣ：Ｅｎｈａｎｃｅｄ  Ｃｏｖｅｒａｇｅ）機能をサポートする。強化カバレッジ機能は、複数のサブフレームを用いて同一信号を繰り返し送信する繰り返し送信（ｒｅｐｅｔｉｔｉｏｎ）を含んでもよい。繰り返し送信の回数が多いほど、カバレッジを拡張することができる。強化カバレッジ機能は、送信信号の電力密度を上げる電力ブースト（ｐｏｗｅｒ  ｂｏｏｓｔｉｎｇ）を含んでもよい。一例として、送信信号の周波数帯域幅を狭くする狭帯域送信により電力密度を上げる。送信信号の電力密度を上げるほど、カバレッジを拡張することができる。強化カバレッジ機能は、送信信号に用いるＭＣＳを下げる低ＭＣＳ（ｌｏｗｅｒ  ＭＣＳ）送信を含んでもよい。データレートが低く、誤り耐性の高いＭＣＳを用いて送信を行うことにより、カバレッジを拡張することができる。
【００３７】  （ランダムアクセスプロシージャの概要）  図７は、ｅＭＴＣ  ＵＥ及びＮＢ−ＩｏＴ  ＵＥ向けのランダムアクセスプロシージャを示す図である。初期状態において、ＵＥ１００は、ＲＲＣアイドルモードにある。ＵＥ１００は、ＲＲＣコネクティッドモードに遷移するためにランダムアクセスプロシージャを実行する。このようなケースは、初期接続（Ｉｎｉｔｉａｌ  ａｃｃｅｓｓ  ｆｒｏｍ  ＲＲＣ＿ＩＤＬＥ）と称される。初期接続時には、競合ベース（ｃｏｎｔｅｎｔｉｏｎ  ｂａｓｅｄ）のランダムアクセスプロシージャが適用される。
【００３８】  ＵＥ１００は、ｅＮＢ２００のセルをサービングセルとして選択している。ＵＥ１００は、通常のカバレッジのための第１のセル選択基準（第１のＳ−ｃｒｉｔｅｒｉａ）が満たされず、強化カバレッジのための第２のセル選択基準（第２のＳ−ｃｒｉｔｅｒｉａ）が満たされた場合、自身が強化カバレッジに居ると判定してもよい。「強化カバレッジに居るＵＥ」とは、セルにアクセスするために強化カバレッジ機能（強化カバレッジモード）を用いることが必要とされるＵＥを意味する。なお、ｅＭＴＣ  ＵＥは、強化カバレッジモードを用いることが必須である。ここでは、ＵＥ１００が強化カバレッジに居ると仮定して説明を進める。
【００３９】  ステップＳ１００１において、ｅＮＢ２００は、ＰＲＡＣＨ（Ｐｈｙｓｉｃａｌ  Ｒａｎｄｏｍ  Ａｃｃｅｓｓ  Ｃｈａｎｎｅｌ）関連情報をブロードキャストシグナリング（例えば、ＳＩＢ）により送信する。ＰＲＡＣＨ関連情報は、強化カバレッジレベルごとに設けられた各種のパラメータを含む。一例として、強化カバレッジレベルは、強化カバレッジレベル０乃至３の合計４つのレベルが規定される。各種のパラメータは、ＲＳＲＰ（Ｒｅｆｅｒｅｎｃｅ  Ｓｉｇｎａｌ  Ｒｅｃｅｉｖｅｄ  Ｐｏｗｅｒ）閾値、ＰＲＡＣＨリソース、及び最大プリアンブル送信回数を含む。ＰＲＡＣＨリソースは、無線リソース（時間・周波数リソース）及び信号系列（プリアンブル系列）を含む。ＵＥ１００は、受信したＰＲＡＣＨ関連情報を記憶する。
【００４０】  ステップＳ１００２において、ＵＥ１００は、ｅＮＢ２００から送信される参照信号に基づいてＲＳＲＰを測定する。
【００４１】  ステップＳ１００３において、ＵＥ１００は、測定したＲＳＲＰを強化カバレッジレベルごとのＲＳＲＰ閾値と比較することにより、自身の強化カバレッジレベル（ＣＥレベル）を決定する。強化カバレッジレベルは、ＵＥ１００に必要とされる強化カバレッジの度合いを示す。強化カバレッジレベルは、少なくとも繰り返し送信における送信回数（すなわち、Ｒｅｐｅｔｉｔｉｏｎ回数）と関連する。
【００４２】  ステップＳ１００４において、ＵＥ１００は、自身の強化カバレッジレベルに対応するＰＲＡＣＨリソースを選択する。
【００４３】  ステップＳ１００５〜Ｓ１００８は、ランダムアクセスプロシージャを構成する。ステップＳ１００５において、ＵＥ１００は、選択したＰＲＡＣＨリソースを用いてＭｓｇ１（ランダムアクセスプリアンブル）をｅＮＢ２００に送信する。なお、「Ｍｓｇ」は、メッセージの略である。ｅＮＢ２００は、受信したＭｓｇ１に用いられたＰＲＡＣＨリソースに基づいて、ＵＥ１００の強化カバレッジレベルを特定する。
【００４４】  ステップＳ１００６において、ｅＮＢ２００は、ＵＥ１００に割り当てたＰＵＳＣＨリソースを示すスケジューリング情報を含むＭｓｇ２（ランダムアクセス応答）をＵＥ１００に送信する。ＵＥ１００は、Ｍｓｇ２を正常に受信するまで、自身の強化カバレッジレベルに対応する最大プリアンブル送信回数までＭｓｇ１を複数回送信し得る。
【００４５】  ステップＳ１００７において、ＵＥ１００は、スケジューリング情報に基づいて、Ｍｓｇ３をｅＮＢ２００に送信する。Ｍｓｇ３は、ＲＲＣ接続要求（ＲＲＣ  Ｃｏｎｎｅｃｔｉｏｎ  Ｒｅｑｕｅｓｔ）メッセージであってもよい。
【００４６】  ステップＳ１００８において、ｅＮＢ２００は、Ｍｓｇ４をＵＥ１００に送信する。Ｍｓｇ４は、ＲＲＣ接続確立（ＲＲＣ  Ｃｏｎｎｅｃｔｉｏｎ  Ｓｅｔｕｐ）メッセージであってもよい。
【００４７】  ステップＳ１００９において、ＵＥ１００は、Ｍｓｇ４の受信に応じてＲＲＣコネクティッドモードに遷移する。その際、ＵＥ１００は、Ｍｓｇ  ５：ＲＲＣ接続確立完了（ＲＲＣ  Ｃｏｎｎｅｃｔｉｏｎ  Ｓｅｔｕｐ  Ｃｏｍｐｌｅｔｅ）メッセージをｅＮＢ２００に送信してもよい。その後、ｅＮＢ２００は、特定した強化カバレッジレベルに基づいて、ＵＥ１００への繰り返し送信等を制御する。
【００４８】  （アーリーデータ伝送に係る動作）  ｅＭＴＣ  ＵＥやＮＢ−ＩｏＴ  ＵＥは、送受信すべきデータの量が少なく、データの送受信を行う頻度も少ない。本実施形態において、ｅＭＴＣ  ＵＥやＮＢ−ＩｏＴ  ＵＥが、ランダムアクセスプロシージャ中に所定メッセージを利用してユーザデータを送受信するアーリーデータ伝送（ｅａｒｌｙ  ｄａｔａ  ｔｒａｎｓｍｉｓｓｉｏｎ）を行う一例について説明する。
【００４９】  アーリーデータ伝送は、ランダムアクセスプロシージャにおけるＭｓｇ３を利用して上りリンクデータを送受信する上りリンクのアーリーデータ伝送と、ランダムアクセスプロシージャにおけるＭｓｇ４を利用して下りリンクデータを送受信する下りリンクのアーリーデータ伝送とを含む。
【００５０】  ここで、基本的なアーリーデータ伝送の動作例について説明する。
【００５１】  まず、ｅＮＢ２００は、上りリンクのアーリーデータ伝送においてＵＥ１００が送信可能な最大上りリンクデータ量（最大トランスポートブロックサイズ）を示す情報をＳＩＢによりブロードキャストする。ＲＲＣアイドルモードにあるＵＥ１００は、このＳＩＢを受信し、自身がｅＮＢ２００に送信しようとする上りリンクデータ量が最大上りリンクデータ量以下であるか判定する。自身がｅＮＢ２００に送信しようとする上りリンクデータ量が最大上りリンクデータ量以下である場合、ＵＥ１００は、アーリーデータ伝送を行うと判定し、アーリーデータ伝送を伴うランダムアクセスプロシージャを開始する。
【００５２】  次に、ＲＲＣアイドルモードにあるＵＥ１００は、自身がアーリーデータ伝送を行う意図を有することを示すＭｓｇ１（ＥＤＴインディケーション）をｅＮＢ２００に送信する。ｅＮＢ２００は、Ｍｓｇ１の受信に応じて、上りリンク割り当て情報を含むＭｓｇ２をＵＥ１００に送信する。
【００５３】  次に、ＵＥ１００は、Ｍｓｇ２の受信に応じてＭｓｇ３をｅＮＢ２００に送信する。ＵＥ１００は、Ｍｓｇ３送信時に上りリンクデータをｅＮＢ２００に送信する。ｅＮＢ２００は、Ｍｓｇ３の受信に応じてＭｓｇ４をＵＥ１００に送信する。Ｍｓｇ３及びＭｓｇ４の送受信によって上りリンクデータ及び下りリンクデータの送受信が完了すると、ＵＥ１００は、ＲＲＣアイドルモードを維持したままランダムアクセスプロシージャを終了する。このようにしてＲＲＣアイドルモードを維持したままランダムアクセスプロシージャを終了することを「アーリーデータ伝送の正常終了」と称する。
【００５４】  なお、アーリーデータ伝送には、ＵＰ（Ｕｓｅｒ  Ｐｌａｎｅ）ソリューション及びＣＰ（Ｃｏｎｔｒｏｌ  Ｐｌａｎｅ）ソリューションの２種類がある。ＵＰソリューションでは、アーリーデータ伝送において、データをＲＲＣメッセージに含めずに、ＭＡＣレイヤにおいてデータ（ＤＴＣＨ）とＲＲＣメッセージ（ＣＣＣＨ）とを１つのＭＡＣ  ＰＤＵに多重化して送信する。一方で、ＣＰソリューションでは、アーリーデータ伝送において、データをＲＲＣメッセージに含める。
【００５５】  ＵＰソリューションは、ＵＥ１００がＲＲＣアイドルモードのサブ状態であるサスペンド状態である場合に適用される。サスペンド状態は、ＵＥ１００のコンテキスト情報がｅＮＢ２００において維持されるＲＲＣアイドルモードのサブ状態である。ＵＰソリューションでは、Ｍｓｇ３を構成するＲＲＣメッセージがＲＲＣ  Ｃｏｎｎｅｃｔｉｏｎ  Ｒｅｓｕｍｅ  Ｒｅｑｕｅｓｔメッセージであり、Ｍｓｇ４を構成するＲＲＣメッセージが基本的にはＲＲＣ  Ｃｏｎｎｅｃｔｉｏｎ  Ｒｅｌｅａｓｅメッセージ又はＲＲＣ  Ｃｏｎｎｅｃｔｉｏｎ  Ｒｅｊｅｃｔメッセージである。ＵＥ１００は、ＲＲＣ  Ｃｏｎｎｅｃｔｉｏｎ  Ｒｅｌｅａｓｅメッセージを受信すると、ＲＲＣアイドルモードを維持したままランダムアクセスプロシージャを終了する（すなわち、アーリーデータ伝送の正常終了）。但し、Ｍｓｇ４を構成するＲＲＣメッセージがＲＲＣ  Ｃｏｎｎｅｃｔｉｏｎ  Ｒｅｓｕｍｅメッセージであり得る。ＵＥ１００は、ＲＲＣ  Ｃｏｎｎｅｃｔｉｏｎ  Ｒｅｓｕｍｅメッセージを受信すると、ＲＲＣコネクティッドモードに遷移し、ＲＲＣコネクティッドモードにおいてデータを送受信する。
【００５６】  ＣＰソリューションは、ＵＥ１００がＲＲＣアイドルモードであってサスペンド状態ではない場合に適用される。ＣＰソリューションでは、Ｍｓｇ３を構成するＲＲＣメッセージがＥａｒｌｙ  Ｄａｔａ  Ｒｅｑｕｅｓｔメッセージであり、Ｍｓｇ４を構成するＲＲＣメッセージが基本的にはＥａｒｌｙ  Ｄａｔａ  Ｃｏｍｐｌｅｔｅメッセージである。ＵＥ１００は、Ｅａｒｌｙ  Ｄａｔａ  Ｃｏｍｐｌｅｔｅメッセージを受信すると、ＲＲＣアイドルモードを維持したままランダムアクセスプロシージャを終了する（すなわち、アーリーデータ伝送の正常終了）。但し、Ｍｓｇ４を構成するＲＲＣメッセージがＲＲＣ  Ｃｏｎｎｅｃｔｉｏｎ  Ｓｅｔｕｐメッセージであり得る。ＵＥ１００は、ＲＲＣ  Ｃｏｎｎｅｃｔｉｏｎ  Ｓｅｔｕｐメッセージを受信すると、ＲＲＣコネクティッドモードに遷移し、ＲＲＣコネクティッドモードにおいてデータを送受信する。
【００５７】  （１）セル再選択動作  本実施形態に係るアーリーデータ伝送におけるセル再選択動作について説明する。
【００５８】  セル再選択動作は、ＲＲＣアイドルモードにあるＵＥ１００が現在のサービングセルとは異なるセルを新たなサービングセルとして再選択するための動作である。ＵＥ１００は、セル再選択動作において、現在のサービングセル及び隣接セルのそれぞれの品質（ＲＳＲＰ：Ｒｅｆｅｒｅｎｃｅ  Ｓｉｇｎａｌ  Ｒｅｃｅｉｖｅｄ  Ｐｏｗｅｒ）を比較することにより適切なセルを選択する。
【００５９】  アーリーデータ伝送を伴わない一般的なランダムアクセスプロシージャの場合、ＲＲＣアイドルモードにあるＵＥ１００は、ランダムアクセスプロシージャ中にセル再選択動作を継続する。
【００６０】  一方で、アーリーデータ伝送を伴うランダムアクセスプロシージャの場合、ＲＲＣアイドルモードにあるＵＥ１００は、データ送受信を完了させるためにセル再選択動作を停止する。すなわち、ＲＲＣアイドルモードにあるＵＥ１００は、アーリーデータ伝送を行うことに応じて、セル再選択動作を停止する。例えば、ＵＥ１００は、現在のサービングセルへのランダムアクセスプリアンブル（Ｍｓｇ１）の送信時、現在のサービングセルからのランダムアクセス応答（Ｍｓｇ２）の受信時、又は現在のサービングセルへのＲＲＣメッセージ（Ｍｓｇ３）の送信時に、セル再選択動作を停止する。なお、セル再選択動作の停止とは、現在のサービングセル及び隣接セルに対する測定を可能としつつ、これらのセルの品質を比較する処理を停止する（行わない）ことであってもよい。セル再選択動作の停止とは、現在のサービングセルに対する測定を可能としつつ、隣接セルに対する測定を停止する（行わない）ことであってもよい。
【００６１】  しかしながら、アーリーデータ伝送が正常に終了すると、ＵＥ１００がＲＲＣアイドルモードを維持する。このため、本実施形態において、ＵＥ１００は、アーリーデータ伝送の正常終了に応じて、セル再選択動作を再開する。具体的には、ＵＥ１００は、アーリーデータ伝送を正常に終了させるためのＲＲＣメッセージ（Ｍｓｇ４）を現在のサービングセルから受信した際に、セル再選択動作を再開する。かかるＲＲＣメッセージ（Ｍｓｇ４）は、ＲＲＣ  Ｃｏｎｎｅｃｔｉｏｎ  Ｒｅｌｅａｓｅメッセージ、ＲＲＣ  Ｃｏｎｎｅｃｔｉｏｎ  Ｒｅｊｅｃｔメッセージ、又はＥａｒｌｙ  Ｄａｔａ  Ｃｏｍｐｌｅｔｅメッセージである。これにより、アーリーデータ伝送が正常に終了した後において、ＵＥ１００が現在のサービングセルとは異なるセルを新たなサービングセルとして再選択することが可能になる。なお、セル再選択動作の再開とは、停止していた処理の少なくとも一部を再開することをいう。
【００６２】  ＵＥ１００は、アーリーデータ伝送のためにセル再選択動作を停止中において、現在のサービングセルが所定の品質条件を満たしているか否かの確認を継続してもよい。具体的には、ＵＥ１００は、現在のサービングセルのＲＳＲＰがセル選択基準（上述した第１のＳ−ｃｒｉｔｅｒｉａ又は第２のＳ−ｃｒｉｔｅｒｉａ）を満たしているか否かの確認を継続する。そして、ＵＥ１００は、現在のサービングセルが所定の品質条件を満たしていないことが確認された場合には、セル再選択動作を再開してもよい。
【００６３】  図８は、本実施形態に係るアーリーデータ伝送に関するセル再選択動作の一例を示す図である。図８において、必須ではない処理をかっこ書き及び破線で示している。
【００６４】  図８に示すように、ステップＳ１０１において、ＲＲＣアイドルモードにあるＵＥ１００は、現在のサービングセルのＲＳＲＰがセル選択基準を満たしているか否かの確認を行うとともに、セル再選択動作を行う。
【００６５】  ステップＳ１０２において、ＵＥ１００は、ランダムアクセスプロシージャを行うと判定する。例えば、ＵＥ１００は、送信すべき上りリンクデータがＵＥ１００において発生したこと、又はＵＥ１００がページングメッセージを受信したこと等に応じて、ランダムアクセスプロシージャを行うと判定する。
【００６６】  ステップＳ１０３において、ＵＥ１００は、アーリーデータ伝送を行うと判定する。例えば、ＵＥ１００は、自身がｅＮＢ２００に送信しようとする上りリンクデータ量（トランスポートブロックサイズ）が、ｅＮＢ２００から設定された最大上りリンクデータ量（最大トランスポートブロックサイズ）以下である場合に、アーリーデータ伝送を行うと判定し、アーリーデータ伝送を伴うランダムアクセスプロシージャを開始する。
【００６７】  ステップＳ１０４において、ＵＥ１００は、現在のサービングセル（ｅＮＢ２００）へのランダムアクセスプリアンブル（Ｍｓｇ１）の送信時、現在のサービングセルからのランダムアクセス応答（Ｍｓｇ２）の受信時、又は現在のサービングセルへのＲＲＣメッセージ（Ｍｓｇ３）の送信時に、セル再選択動作を停止する。但し、ＵＥ１００は、現在のサービングセルのＲＳＲＰがセル選択基準を満たしているか否かの確認を継続してもよい。
【００６８】  ステップＳ１０５において、ＵＥ１００は、現在のサービングセルのＲＳＲＰがセル選択基準を満たしているか否か、すなわち、現在のサービングセルが適切であるか否かを確認する。現在のサービングセルが不適切である場合（ステップＳ１０５：ＮＯ）、ステップＳ１０６において、ＵＥ１００は、セル再選択動作を再開する。
【００６９】  一方で、現在のサービングセルが適切である場合（ステップＳ１０５：ＹＥＳ）、ステップＳ１０７において、ＵＥ１００は、アーリーデータ伝送が正常に終了したか否かを判定する。例えば、ＵＥ１００は、ｅＮＢ２００からのＲＲＣメッセージ（Ｍｓｇ４）として、ｅＮＢ２００がアーリーデータを正常に受信したことを示すメッセージ又はＲＲＣ接続モードへの遷移をトリガしないメッセージ（具体的には、ＲＲＣ  Ｃｏｎｎｅｃｔｉｏｎ  Ｒｅｌｅａｓｅメッセージ、ＲＲＣ  Ｃｏｎｎｅｃｔｉｏｎ  Ｒｅｊｅｃｔメッセージ、又はＥａｒｌｙ  Ｄａｔａ  Ｃｏｍｐｌｅｔｅメッセージ等）を受信したか否かを判定する。
【００７０】  アーリーデータ伝送が正常に終了したと判定した場合、すなわち、ＵＥ１００が、ｅＮＢ２００がアーリーデータを正常に受信したことを示すメッセージ又はＲＲＣ接続モードへの遷移をトリガしないメッセージ（具体的には、ＲＲＣ  Ｃｏｎｎｅｃｔｉｏｎ  Ｒｅｌｅａｓｅメッセージ、ＲＲＣ  Ｃｏｎｎｅｃｔｉｏｎ  Ｒｅｊｅｃｔメッセージ、又はＥａｒｌｙ  Ｄａｔａ  Ｃｏｍｐｌｅｔｅメッセージ等）を受信した場合（ステップＳ１０７：ＹＥＳ）、ステップＳ１０８において、ＵＥ１００は、ＲＲＣアイドルモードを維持しつつ、セル再選択動作を再開する。
【００７１】  一方で、アーリーデータ伝送が正常に終了したと判定しない場合、例えば、ＵＥ１００が、ｅＮＢ２００がアーリーデータを正常に受信しなかったことを示すメッセージ、ＲＲＣ接続モードへの遷移をトリガするメッセージ又は上記のメッセージ（ＲＲＣ  Ｃｏｎｎｅｃｔｉｏｎ  Ｒｅｌｅａｓｅメッセージ等）以外のメッセージ（具体的には、ＲＲＣ  Ｃｏｎｎｅｃｔｉｏｎ  Ｒｅｓｕｍｅメッセージ又はＲＲＣ  Ｃｏｎｎｅｃｔｉｏｎ  Ｓｅｔｕｐメッセージ等）を受信した場合（ステップＳ１０７：ＮＯ）、ステップＳ１０９において、ＵＥ１００は、ＲＲＣコネクティッドモードに遷移する。
【００７２】  （２）ＲＲＣアイドルモード用のタイマに関する動作  本実施形態に係るＲＲＣアイドルモード用のタイマに関する動作について説明する。
【００７３】  ＲＲＣアイドルモードにあるＵＥ１００は、ＲＲＣアイドルモードにおけるＵＥ１００の動作に関連するタイマを動作させる。
【００７４】  アーリーデータ伝送を伴わない一般的なランダムアクセスプロシージャの場合、ＵＥ１００は、Ｍｓｇ４として正常メッセージ（ＲＲＣ  Ｃｏｎｎｅｃｔｉｏｎ  Ｒｅｓｕｍｅメッセージ又はＲＲＣ  Ｃｏｎｎｅｃｔｉｏｎ  Ｓｅｔｕｐメッセージ）を受信すると、ＲＲＣコネクティッドモードに遷移するとともに、ＲＲＣアイドルモード用のタイマを停止させる。
【００７５】  一方で、アーリーデータ伝送を伴うランダムアクセスプロシージャの場合、ＵＥ１００は、Ｍｓｇ４として正常メッセージ（ＲＲＣ  Ｃｏｎｎｅｃｔｉｏｎ  Ｒｅｌｅａｓｅメッセージ、ＲＲＣ  Ｃｏｎｎｅｃｔｉｏｎ  Ｒｅｊｅｃｔメッセージ、又はＥａｒｌｙ  Ｄａｔａ  Ｃｏｍｐｌｅｔｅメッセージ）を受信すると、ＲＲＣアイドルモードを維持する。よって、かかる場合において、アーリーデータ伝送を伴わない一般的なランダムアクセスプロシージャと同様に、Ｍｓｇ４の受信に応じてＲＲＣアイドルモード用のタイマの全てを停止させると、予期せぬエラーが生じる虞がある。
【００７６】  本実施形態において、ＲＲＣアイドルモードにあるＵＥ１００は、ランダムアクセスプロシージャの開始後、ランダムアクセスプロシージャを正常に終了させるためのＲＲＣメッセージ（Ｍｓｇ４）をｅＮＢ２００から受信する。かかるＲＲＣメッセージがアーリーデータ伝送用のメッセージ（ＲＲＣ  Ｃｏｎｎｅｃｔｉｏｎ  Ｒｅｌｅａｓｅメッセージ、ＲＲＣ  Ｃｏｎｎｅｃｔｉｏｎ  Ｒｅｊｅｃｔメッセージ、又はＥａｒｌｙ  Ｄａｔａ  Ｃｏｍｐｌｅｔｅメッセージ）である場合、ＵＥ１００は、かかるＲＲＣメッセージの受信に応じて、タイマの動作を継続させる。これにより、タイマの停止によるエラーが生じることを防止できる。なお、かかるタイマは、ＲＲＣメッセージ（Ｍｓｇ４）がアーリーデータ伝送用のメッセージではない場合には当該ＲＲＣメッセージの受信に応じて停止されるべき複数のタイマの一部である。
【００７７】  アーリーデータ伝送を伴うランダムアクセスプロシージャにおいて、ＵＥ１００は、Ｍｓｇ４として正常メッセージ（ＲＲＣ  Ｃｏｎｎｅｃｔｉｏｎ  Ｒｅｌｅａｓｅメッセージ、ＲＲＣ  Ｃｏｎｎｅｃｔｉｏｎ  Ｒｅｊｅｃｔメッセージ、又はＥａｒｌｙ  Ｄａｔａ  Ｃｏｍｐｌｅｔｅメッセージ）を受信すると、表１に示すＲＲＣアイドルモード用のタイマの動作を継続させる。なお、表１に示すＲＲＣアイドルモード用のタイマは一例であって、ＵＥ１００は、Ｍｓｇ４として正常メッセージの受信に応じて、表１に示すＲＲＣアイドルモード用のタイマ以外のタイマの動作も継続させてもよい。また、ＵＥ１００は、Ｍｓｇ４として正常メッセージの受信に応じて、表１に示すＲＲＣアイドルモード用のタイマのうちの一部のタイマの動作を継続させ、他のタイマの動作を停止させてもよい。
【００７８】
【表１】
2019194296.tif 000003
【００７９】  一方で、アーリーデータ伝送を伴うランダムアクセスプロシージャにおいて、ＵＥ１００は、Ｍｓｇ４として正常メッセージ（ＲＲＣ  Ｃｏｎｎｅｃｔｉｏｎ  Ｒｅｌｅａｓｅメッセージ、ＲＲＣ  Ｃｏｎｎｅｃｔｉｏｎ  Ｒｅｊｅｃｔメッセージ、又はＥａｒｌｙ  Ｄａｔａ  Ｃｏｍｐｌｅｔｅメッセージ）を受信すると、表２に示すＲＲＣアイドルモード用のタイマを停止させる。なお、表２に示すＲＲＣアイドルモード用のタイマは一例であって、ＵＥ１００は、Ｍｓｇ４として正常メッセージの受信に応じて、表２に示すＲＲＣアイドルモード用のタイマ以外のタイマの動作も停止させてもよい。また、ＵＥ１００は、Ｍｓｇ４として正常メッセージの受信に応じて、表２に示すＲＲＣアイドルモード用のタイマのうちの一部のタイマの動作を停止させ、他のタイマの動作を継続させてもよい。
【００８０】
【表２】
2019194296.tif 000004
【００８１】  なお、表１及び表２に示すタイマの詳細については、例えば３ＧＰＰ技術仕様書ＴＳ３６．３３１を参照されたい。
【００８２】  表２において、Ｔ３００は、Ｍｓｇ４受信までを計測するタイマであるため、Ｍｓｇ４受信に応じて停止させることとしている。また、Ｔ３２０及びＴ３２２は、ＲＲＣ  Ｃｏｎｎｅｃｔｉｏｎ  Ｒｅｌｅａｓｅ時に明示的に与えられるセル選択用のパラメータの保持時間を定めるタイマであるため、Ｍｓｇ４受信に応じて一旦停止し、更にこれらパラメータがこのＭｓｇ４で通知されていたら、改めてタイマを設定（開始）する。
【００８３】  図９は、本実施形態に係るＲＲＣアイドルモード用のタイマに関する動作の一例を示す図である。図８と同様な処理については詳細な説明を省略する。
【００８４】  図９に示すように、ステップＳ２０１において、ＲＲＣアイドルモードにあるＵＥ１００は、ＲＲＣアイドルモード用のタイマを動作させる。
【００８５】  ステップＳ２０２において、ＵＥ１００は、ランダムアクセスプロシージャを行うと判定する。
【００８６】  ステップＳ２０３において、ＵＥ１００は、アーリーデータ伝送を行うと判定し、アーリーデータ伝送を伴うランダムアクセスプロシージャを開始する。
【００８７】  ステップＳ２０４において、ＵＥ１００は、アーリーデータ伝送が正常に終了したか否かを判定する。
【００８８】  アーリーデータ伝送が正常に終了したと判定した場合、すなわち、ＵＥ１００が、Ｍｓｇ４として正常メッセージ（ＲＲＣ  Ｃｏｎｎｅｃｔｉｏｎ  Ｒｅｌｅａｓｅメッセージ、ＲＲＣ  Ｃｏｎｎｅｃｔｉｏｎ  Ｒｅｊｅｃｔメッセージ、又はＥａｒｌｙ  Ｄａｔａ  Ｃｏｍｐｌｅｔｅメッセージ）を受信した場合（ステップＳ２０４：ＹＥＳ）、ステップＳ２０５において、ＵＥ１００は、ＲＲＣアイドルモードを維持しつつ、動作しているタイマのうち、表１に示すタイマの動作を継続させ、表２に示すタイマを停止させる。
【００８９】  一方で、アーリーデータ伝送が正常に終了したと判定しない場合、例えば、ＵＥ１００がＲＲＣ  Ｃｏｎｎｅｃｔｉｏｎ  Ｒｅｓｕｍｅメッセージ又はＲＲＣ  Ｃｏｎｎｅｃｔｉｏｎ  Ｓｅｔｕｐメッセージを受信した場合（ステップＳ２０４：ＮＯ）、ステップＳ２０６において、ＵＥ１００は、ＲＲＣコネクティッドモードに遷移し、表１に示すタイマ及び表２に示すタイマを停止させる。
【００９０】  （３）ＮＢ−ＩｏＴ  ＵＥのアーリーコンテンションリゾリューション能力に関する動作  本実施形態に係るＮＢ−ＩｏＴ  ＵＥのアーリーコンテンションリゾリューション能力に関する動作について説明する。
【００９１】  ＮＢ−ＩｏＴ  ＵＥ以外のＵＥは、アーリーコンテンションリゾリューション能力を有する。アーリーコンテンションリゾリューション能力とは、ランダムアクセスプロシージャにおけるＭｓｇ４を構成するＲＲＣメッセージ及びＭＡＣ制御要素を互いに異なるタイミング（すなわち、互いに異なるＭＡＣ  ＰＤＵ）でｅＮＢ２００から受信する能力をいう。具体的には、アーリーコンテンションリゾリューション能力を有するＵＥ１００は、Ｍｓｇ４を構成するＭＡＣ制御要素（具体的には、ＵＥ  Ｃｏｎｔｅｎｔｉｏｎ  Ｒｅｓｏｌｕｔｉｏｎ  Ｉｄｅｎｔｉｔｙ  ＭＡＣ  ｃｏｎｔｒｏｌ  ｅｌｅｍｅｎｔ）を先に受信し、その後に、Ｍｓｇ４を構成するＲＲＣメッセージを受信することが可能である。
【００９２】  ここで、Ｍｓｇ３を利用して上りリンクのアーリーデータ伝送を行い、Ｍｓｇ４を利用して下りリンクのアーリーデータ伝送を行う場合、ｅＮＢ２００は、下りリンクデータをコアネットワーク側から受信するまではＭｓｇ４をＵＥ１００に送信することができない。その結果、ＵＥ１００がＭＡＣレイヤにおいて管理するコンテンションリゾリューションタイマが満了し、ＵＥ１００がランダムアクセスプロシージャ失敗と判定し得る。しかしながら、アーリーコンテンションリゾリューションを用いれば、ｅＮＢ２００は、下りリンクデータをコアネットワーク側から受信する前に、Ｍｓｇ４を構成するＭＡＣ制御要素（ＵＥ  Ｃｏｎｔｅｎｔｉｏｎ  Ｒｅｓｏｌｕｔｉｏｎ  Ｉｄｅｎｔｉｔｙ  ＭＡＣ  ｃｏｎｔｒｏｌ  ｅｌｅｍｅｎｔ）をＵＥ１００に送信できるため、コンテンションリゾリューションタイマが満了することを防止できる。
【００９３】  よって、アーリーデータ伝送を行う能力を有するＵＥ１００については、アーリーコンテンションリゾリューション能力を有することを必須とするべきである。すなわち、アーリーコンテンションリゾリューション能力を有するＵＥ１００に限り、アーリーデータ伝送を行うことを可能にするべきである。これにより、ｅＮＢ２００は、アーリーデータ伝送を行う意図をＭｓｇ１により示すＵＥ１００がアーリーコンテンションリゾリューション能力を有するとみなし、このＵＥ１００に対してアーリーコンテンションリゾリューションを適用できる。
【００９４】  図１０は、本実施形態に係るＮＢ−ＩｏＴ  ＵＥのアーリーコンテンションリゾリューション能力に関する動作の一例を示す図である。ここでは、ＵＥ１００がＮＢ−ＩｏＴカテゴリに属すると仮定して説明する。
【００９５】  図１０に示すように、ステップＳ３０１において、ＲＲＣアイドルモードにあるＵＥ１００は、ランダムアクセスプロシージャを行うと判定する。
【００９６】  ステップＳ３０２において、ＵＥ１００は、自身がアーリーコンテンションリゾリューション能力を有するか否かを判定する。
【００９７】  ＵＥ１００がアーリーコンテンションリゾリューション能力を有する場合（ステップＳ３０２：ＹＥＳ）、ステップＳ３０３において、ＵＥ１００は、自身がアーリーデータ伝送を実行可能であると判定する。
【００９８】  一方で、ＵＥ１００がアーリーコンテンションリゾリューション能力を有しない場合（ステップＳ３０２：ＮＯ）、ステップＳ３０４において、ＵＥ１００は、自身がアーリーデータ伝送を実行不能であると判定する。
【００９９】  （その他の実施形態）  上述した実施形態において、ＭＴＣやＩｏＴを対象とした無線端末（ｅＭＴＣ  ＵＥ及びＮＢ−ＩｏＴ  ＵＥ）を用いる一例を説明した。しかしながら、本開示はｅＭＴＣ  ＵＥ及びＮＢ−ＩｏＴ  ＵＥに限定されない。一般的なＵＥに対して、上述した実施形態に係る動作を適用してもよい。
【０１００】  上述した実施形態では、主にＲＲＣアイドル、サスペンド、コネクテッドを例に挙げて説明したが、これに限らない。ＲＲＣライトコネクションやＩＮＡＣＴＩＶＥの状態に適用してもよい。ＲＲＣライトコネクションは、ＲＲＣコネクティッドモードの一状態であって、ＲＲＣアイドルモードのプロシージャの一部が適用される特殊な状態である。ＩＮＡＣＴＩＶＥは、第５世代移動通信システムにおいて導入されることが想定されており、ＲＲＣコネクティッドモード及びＲＲＣアイドルモードとは異なるＲＲＣ状態である。上述した実施形態における「ＲＲＣアイドルモード」を「ＩＮＡＣＴＩＶＥモード」と読み替えてもよい。
【０１０１】  上述した実施形態では強化カバレッジに居るＵＥを例に挙げて説明したが、これに限らない。ノーマルカバレッジに居るＵＥに対して、上述した実施形態に係る動作を適用してもよい。具体的には、ＲＡＣＨプロシージャにおいて、ＲＳＲＰ測定に基づくＣＥレベル判定を行わなくてもよい。
【０１０２】  上述した実施形態において、移動通信システムとしてＬＴＥシステムを例示した。しかしながら、本開示はＬＴＥシステムに限定されない。ＬＴＥシステム以外の移動通信システム（例えば、第５世代移動通信システム）に対して、上述した実施形態に係る動作を適用してもよい。
【０１０３】  ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。ＵＥ１００及びｅＮＢ２００が行う各処理を実行するためのプログラムを記憶するメモリ及びメモリに記憶されたプログラムを実行するプロセッサによって構成されるチップセットが提供されてもよい。
【０１０４】  本願は、米国仮出願第６２／６５２４２９号（２０１８年４月４日出願）の優先権を主張し、その内容の全てが本願明細書に組み込まれている。
【図１】
2019194296.tif 000005
【図２】
2019194296.tif 000006
【図３】
2019194296.tif 000007
【図４】
2019194296.tif 000008
【図５】
2019194296.tif 000009
【図６】
2019194296.tif 000010
【図７】
2019194296.tif 000011
【図８】
2019194296.tif 000012
【図９】
2019194296.tif 000013
【図１０】
2019194296.tif 000014
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
ランダムアクセスプロシージャ中に上りリンクデータ送信を行うアーリーデータ伝送を実行するユーザ装置に用いる方法であって、
セル再選択動作に用いるパラメータの保持時間を定めるタイマを開始させることと、
前記ランダムアクセスプロシージャの開始後、前記アーリーデータ伝送を正常に終了させるためのＥａｒｌｙ  Ｄａｔａ  Ｃｏｍｐｌｅｔｅメッセージを基地局から受信することと、
前記Ｅａｒｌｙ  Ｄａｔａ  Ｃｏｍｐｌｅｔｅメッセージの受信に応じて、前記タイマを停止させることと、
前記Ｅａｒｌｙ  Ｄａｔａ  Ｃｏｍｐｌｅｔｅメッセージに前記パラメータが含まれる場合、前記タイマを開始することと、を備える、
方法。
【請求項２】
ランダムアクセスプロシージャ中に上りリンクデータ送信を行うアーリーデータ伝送を実行するユーザ装置であって、
セル再選択動作に用いるパラメータの保持時間を定めるタイマを開始させる制御部と
前記ランダムアクセスプロシージャの開始後、前記アーリーデータ伝送を正常に終了させるためのＥａｒｌｙ  Ｄａｔａ  Ｃｏｍｐｌｅｔｅメッセージを基地局から受信する受信部と、を備え、
前記制御部は、
前記前記Ｅａｒｌｙ  Ｄａｔａ  Ｃｏｍｐｌｅｔｅメッセージの受信に応じて、前記タイマを停止させ、
前記Ｅａｒｌｙ  Ｄａｔａ  Ｃｏｍｐｌｅｔｅメッセージに前記パラメータが含まれる場合、前記タイマを開始する
ユーザ装置。
【請求項３】
ランダムアクセスプロシージャ中に上りリンクデータ送信を行うアーリーデータ伝送を実行するユーザ装置を制御するプロセッサであって、
セル再選択動作に用いるパラメータの保持時間を定めるタイマを開始させる処理と、
前記ランダムアクセスプロシージャの開始後、前記アーリーデータ伝送を正常に終了させるためのＥａｒｌｙ  Ｄａｔａ  Ｃｏｍｐｌｅｔｅメッセージを基地局から受信する処理と、
前記前記Ｅａｒｌｙ  Ｄａｔａ  Ｃｏｍｐｌｅｔｅメッセージの受信に応じて、前記タイマを停止させる処理と、
前記Ｅａｒｌｙ  Ｄａｔａ  Ｃｏｍｐｌｅｔｅメッセージに前記パラメータが含まれる場合、前記タイマを開始する処理と、を実行する
プロセッサ。
【国際調査報告】
2019194296.tif 000015
2019194296.tif 000016
2019194296.tif 000017
2019194296.tif 000018
2019194296.tif 000019
2019194296.tif 000020
2019194296.tif 000021
2019194296.tif 000022
2019194296.tif 000023
2019194296.tif 000024